(57)【要約】【課題】特定の相手先からの着信にユーザが十分に応答できることを可能とする携帯端末装置を提供する。【解決手段】携帯電話機１は、他の機器との通信を行う通信部１９と、報知動作を行う音声出力部１６と、通信部１９へ着信があった際の音声出力部１６による着信報知を制御する報知制御部２１と、を備える。ここで、報知制御部２１は、通信部１９から特定の通信先へ発信が行われたことに基づいて、着信の報知態様を変更する制御を実行する。即ち、報知制御部２１は、特定の通信先への発信が行われる前に比べてユーザに対する認識効果の高い着信報知を音声出力部１６により行うための報知制御を実行する。【選択図】図２
2014027362.tif 000002
【特許請求の範囲】
【請求項１】
他の機器との通信を行う通信部と、
報知動作を行う報知部と、
前記通信部へ着信があった際の前記報知部による着信報知を制御する報知制御部と、
を備え、
前記報知制御部は、前記通信部から特定の通信先へ発信が行われたことに基づいて、着信の報知態様を変更する制御を実行する、
ことを特徴とする携帯端末装置。
【請求項２】
請求項１に記載の携帯端末装置において、
前記報知制御部は、前記着信の報知態様を変更する制御として、前記特定の通信先への発信が行われる前に比べてユーザに対する認識効果の高い着信報知を前記報知部により行うための報知制御を実行する、
ことを特徴とする携帯端末装置。
【請求項３】
請求項２に記載の携帯端末装置において、
前記報知部は、音により着信を報知し、
前記報知制御部は、前記特定の送信先への発信が行われる前に前記報知部による着信音の鳴動を制限する制限モードが設定されていた場合、前記報知制御として、前記制限モードを解除する、
ことを特徴とする携帯端末装置。
【請求項４】
請求項２に記載の携帯端末装置において、
前記報知部は、音により着信を報知し、
前記報知制御部は、前記報知制御として、前記特定の通信先への発信が行われる前に比べて前記報知部による着信音が大きくなるように着信音量を変更する、
ことを特徴とする携帯端末装置。
【請求項５】
請求項２に記載の携帯端末装置において、
前記報知部は、音により着信を報知し、
前記報知制御部は、前記報知制御として、前記特定の通信先への発信が行われる前に比べてユーザに対する認識効果の高い種類の着信音となるように着信音の種類を変更する、ことを特徴とする携帯端末装置。
【請求項６】
請求項３ないし５の何れか一項に記載の携帯端末装置において、
前記報知部は、複数の出力先を含み、
前記報知制御部は、前記報知制御として、前記特定の通信先への発信が行われる前に比べて多くの前記出力先から着信音を出力するための制御を行う、
ことを特徴とする携帯端末装置。
【請求項７】
請求項２ないし６の何れか一項に記載の携帯端末装置において、
前記報知制御部は、前記報知制御を実行した後、実行から所定時間が経過すると、または、ユーザにより所定の操作がなされると、着信報知に係る設定状態を前記特定の通信先への発信が行われる前の設定状態に戻す、
ことを特徴とする携帯端末装置。
【請求項８】
請求項２ないし７の何れか一項に記載の携帯端末装置において、
前記携帯端末装置に対する電源のオン・オフ制御を行う電源制御部を、さらに備え、
前記電源制御部は、前記報知制御が実行された後に前記電源をオフするオフ操作がなさ
れても前記電源をオフしない、または、前記オフ操作なされると前記電源を一旦オフした後に再び前記電源をオンする、
ことを特徴とする携帯端末装置。
【請求項９】
請求項２ないし８の何れか一項に記載の携帯端末装置において、
前記報知制御部は、前記報知制御が実行された後に通話が開始された場合に、通話開始から所定時間が経過すると前記報知部により報知を行う、
ことを特徴とする携帯端末装置。
【請求項１０】
他の機器との通信を行う通信部と、報知動作を行う報知部と、を備え、前記通信部への着信時に前記報知部により着信報知を行う携帯端末装置のコンピュータに、
前記通信部から特定の通信先へ発信が行われたか否かを判定する機能と、
前記特定の通信先へ発信が行われたことに基づいて、着信の報知態様を変更する制御を実行する機能と、
を付与するプログラム。
【請求項１１】
他の機器との通信を行う通信部と、報知動作を行う報知部と、を備え、前記通信部への着信時に前記報知部により着信報知を行う携帯端末装置の制御方法であって、
前記通信部から特定の通信先へ発信が行われたか否かを判定するステップと、
前記特定の通信先へ発信が行われたことに基づいて、着信の報知態様を変更する制御を実行するステップと、
を含む制御方法。
【発明の詳細な説明】
【技術分野】
【０００１】
本発明は、携帯電話機、ＰＤＡ（Personal Digital Assistant）、タブレットＰＣ（Tablet PC）、電子書籍端末等の携帯端末装置に関する。また、本発明は、かかる携帯端末装置に用いて好適なプログラムおよび制御方法に関する。
【背景技術】
【０００２】
従来、携帯電話機には、いわゆるマナーモードなど、ユーザの設定操作により、電話の着信があっても、携帯電話機から着信音が出力されなくなる機能が備えられている。
【０００３】
ところで、事故等の緊急事態が発生し、ユーザが、警察、消防等の緊急通報先に電話をかけた場合、緊急通報先からユーザに折り返し電話がかけられる場合がある。ところが、緊急連絡先へ電話をかけた際に携帯電話機が音による着信の報知を制限するマナーモードに設定されている場合、緊急通報先から折り返し電話がかけられたときに、着信音が鳴らないため、ユーザが着信に気付かない虞がある。
【０００４】
そこで、携帯電話機において、送信側の携帯電話機からのパスワードや暗証番号の入力に基づいて着信側の携帯電話機のマナーモードを解除するような構成が採られ得る（たとえば、特許文献１参照）。
【先行技術文献】
【特許文献】
【０００５】
【特許文献１】特開２００４−２８２６５１号公報
【発明の概要】
【発明が解決しようとする課題】
【０００６】
しかしながら、上記の構成では、パスワード等を事前に知らされていない送信側の携帯電話機からは受信側の携帯電話機のマナーモードを解除することができない。よって、上記の構成は、緊急通報先からの着信等、重要な着信に対して、ユーザが十分に応答できる構成とは言い難い。
【０００７】
そこで、本発明は、特定の相手先からの着信にユーザが十分に応答できることを可能とする携帯端末装置、プログラムおよび携帯端末装置の制御方法を提供することを目的とする。
【課題を解決するための手段】
【０００８】
本発明の第１の態様に係る携帯端末装置は、他の機器との通信を行う通信部と、報知動作を行う報知部と、前記通信部へ着信があった際の前記報知部による着信報知を制御する報知制御部と、を備える。ここで、前記報知制御部は、前記通信部から特定の通信先へ発信が行われたことに基づいて、着信の報知態様を変更する制御を実行する。
【０００９】
本態様に係る携帯端末装置において、前記報知制御部は、前記着信の報知態様を変更する制御として、前記特定の通信先への発信が行われる前に比べてユーザに対する認識効果の高い着信報知を前記報知部により行うための報知制御を実行する。
【００１０】
本態様に係る携帯端末装置において、前記報知部は、音により着信を報知し、前記報知制御部は、前記特定の送信先への発信が行われる前に前記報知部による着信音の鳴動を制限する制限モードが設定されていた場合、前記報知制御として、前記制限モードを解除す
るような構成とされ得る。
【００１１】
制限モードは、たとえば、着信音を鳴らさずに携帯端末装置を振動させるマナーモード、着信音を鳴らさずに着信履歴を記録するドライブモード（公共モード）である。
【００１２】
本態様に係る携帯端末装置において、前記報知部は、音により着信を報知し、前記報知制御部は、前記報知制御として、前記特定の通信先への発信が行われる前に比べて前記報知部による着信音が大きくなるように着信音量を変更するような構成とされ得る。
【００１３】
本態様に係る携帯端末装置において、前記報知部は、音により着信を報知し、前記報知制御部は、前記報知制御として、前記特定の通信先への発信が行われる前に比べてユーザに対する認識効果の高い種類の着信音となるように着信音の種類を変更するような構成とされ得る。
【００１４】
本態様に係る携帯端末装置において、前記報知部は、複数の出力先を含み得る。この場合、前記報知制御部は、前記報知制御として、前記特定の通信先への発信が行われる前に比べて多くの前記出力先から着信音を出力するための制御を行う。
【００１５】
本態様に係る携帯端末装置において、前記報知制御部は、前記報知制御を実行した後、実行から所定時間が経過すると、または、ユーザにより所定の操作がなされると、着信報知に係る設定状態を前記特定の通信先への発信が行われる前の設定状態に戻すような構成とされ得る。
【００１６】
本態様に係る携帯端末装置は、前記携帯端末装置に対する電源のオン・オフ制御を行う電源制御部を、さらに備えるような構成とされ得る。この場合、前記電源制御部は、前記報知制御が実行された後に前記電源をオフするオフ操作がなされても前記電源をオフしない、または、前記オフ操作なされると前記電源を一旦オフした後に再び前記電源をオンする。
【００１７】
本態様に係る携帯端末装置において、前記報知制御部は、前記報知制御が実行された後に通話が開始された場合に、通話開始から所定時間が経過すると前記報知部により報知を行うような構成とされ得る。
【００１８】
本発明の第２の態様に係るプログラムは、他の機器との通信を行う通信部と、報知動作を行う報知部と、を備え、前記通信部への着信時に前記報知部により着信報知を行う携帯端末装置のコンピュータに、前記通信部から特定の通信先へ発信が行われたか否かを判定する機能と、前記特定の通信先へ発信が行われたことに基づいて、着信の報知態様を変更する制御を実行する機能と、を付与する。
【００１９】
本発明の第３の態様は、他の機器との通信を行う通信部と、報知動作を行う報知部と、を備え、前記通信部への着信時に前記報知部により着信報知を行う携帯端末装置の制御方法に関する。本態様に係る制御方法は、前記通信部から特定の通信先へ発信が行われたか否かを判定するステップと、前記特定の通信先へ発信が行われたことに基づいて、着信の報知態様を変更する制御を実行するステップと、を含む。
【発明の効果】
【００２０】
本発明によれば、特定の相手先からの着信にユーザが十分に応答できることを可能とする携帯端末装置、プログラムおよび携帯端末装置の制御方法を提供することができる。
【００２１】
本発明の効果ないし意義は、以下に示す実施形態の説明によりさらに明らかとなろう。
ただし、以下の実施形態は、あくまでも、本発明を実施化する際の一つの例示であって、本発明は、以下の実施形態に記載されたものに何ら制限されるものではない。
【図面の簡単な説明】
【００２２】
【図１】実施形態に係る、携帯電話機の構成を示す図である。
【図２】実施形態に係る、携帯電話機の全体構成を示すブロック図である。
【図３】実施形態に係る、電話の着信報知が行われる場合の着信報知処理の処理手順を示すフローチャートである。
【図４】実施形態に係る、緊急着信モード設定処理について説明するための図である。
【図５】実施形態に係る、緊急着信モード解除処理について説明するための図である。
【図６】実施形態に係る、携帯電話機の電源が投入されている状態において実行される電源制御処理の処理手順を示すフローチャートである。
【図７】変更例１に係る、緊急着信モード設定処理の処理手順を示すフローチャートである。
【図８】変更例２に係る、緊急着信モード設定処理の処理手順を示すフローチャートである。
【図９】変更例３に係る、通話時警告処理の処理手順を示すフローチャートである。
【図１０】変更例４に係る、緊急着信モード設定処理について説明するための図である。
【発明を実施するための形態】
【００２３】
以下、本発明の実施形態について、図面を参照して説明する。
【００２４】
図１は、携帯電話機１の構成を示す図である。図１（ａ）および（ｂ）は、それぞれ、携帯電話機１の正面図および背面図である。
【００２５】
以下、説明の便宜上、図１に示すように、キャビネット２の長手方向を上下方向と定義し、キャビネット２の短手方向を左右方向と定義する。
【００２６】
携帯電話機１は、キャビネット２と、表示面３と、マイクロフォン４と、通話スピーカ５と、キー操作部６と、電源キー７と、外部スピーカ８とを備えている。
【００２７】
キャビネット２は、正面から見て、ほぼ長方形状を有する。キャビネット２の正面に、後述する表示部１３の表示面３が配されている。表示面３には、各種の画像（画面）が表示される。
【００２８】
キャビネット２の内部には、下端部にマイクロフォン４が配されており、上端部に通話スピーカ５が配されている。マイクロフォン４には、キャビネット２の正面に形成されたマイク孔４ａを通じて音声が入力される。マイクロフォン４は、入力した音に応じた電気信号を生成する。通話スピーカ５からは、音声が出力される。出力された音声は、キャビネット２の正面に形成された出力孔５ａを通じて外部に放出される。
【００２９】
キャビネット２の正面には、キー操作部６および電源キー７が設けられている。キー操作部６は、複数の操作キーから構成されている。各操作キーには、実行中のプログラムを操作するための各種の機能が割り当てられる。携帯電話機１の電源がオフされた状態で電源キー７が押されると、携帯電話機１に電源が投入される。携帯電話機１に電源が投入された状態で電源キー７が押されると、携帯電話機１の電源がオフする。
【００３０】
キャビネット２の内部には、外部スピーカ８が配されている。キャビネット２の背面には、外部スピーカ８に対応する出力孔８ａが形成されている。外部スピーカ８から出力された音（音声、報知音等）は、出力孔８ａを通じて外部に放出される。
【００３１】
図２は、携帯電話機１の全体構成を示すブロック図である。携帯電話機１は、制御部１１と、記憶部１２と、表示部１３と、タッチ検出部１４と、音声入力部１５と、音声出力部１６と、音声処理部１７と、キー入力部１８と、通信部１９と、振動発生部２０を備えている。
【００３２】
記憶部１２は、ＲＯＭ、ＲＡＭ、外部メモリー等から構成される。記憶部１２には、各種のプログラムが記憶されている。記憶部１２に記憶されるプログラムは、携帯電話機１の各部を制御するための制御プログラムの他、各種アプリケーション（たとえば、電話、電子メール、地図、ゲーム、スケジュール管理、等）を含む。プログラムは、メーカによって携帯電話機１の製造時に記憶部１２に記憶される他、ユーザによって通信網や記憶媒体を介して記憶部１２に記憶される。
【００３３】
さらに、記憶部１２には、重要連絡先テーブル１２ａが記憶されている。重要連絡先テーブル１２ａには、たとえば、警察の通信指令センターの電話番号（１１０番）、災害救急情報センターの電話番号（１１９番）、ロードサービスの電話番号等、緊急時の連絡先（緊急連絡先）の電話番号が登録されている。さらに、重要連絡先テーブル１２ａには、緊急連絡先のメールアドレスが登録されている。緊急連絡先の電話番号およびメールアドレスは、所定の設定画面を用いたユーザの登録操作により、重要連絡先テーブル１２ａに登録される。重要連絡先テーブル１２ａに登録された緊急連絡先の電話番号およびメールアドレスへの発信が、後述する緊急着信モードが設定されるためのトリガーとなる。
【００３４】
記憶部１２には、プログラムの実行の際、一時的に利用または生成されるデータを記憶するワーキング領域も含まれる。
【００３５】
制御部１１は、ＣＰＵ等から構成されている。制御部１１は、プログラムに従って、携帯電話機１を構成する各部（記憶部１２、表示部１３、タッチ検出部１４、音声入力部１５、音声出力部１６、音声処理部１７、キー入力部１８、通信部１９、振動発生部２０等）を制御する。
【００３６】
表示部１３は、液晶ディスプレイ等から構成される。表示部１３は、制御部１１からの制御信号と画像信号に基づき、表示面３に画像（画面）を表示する。表示部１３は、液晶ディスプレイに限らず、有機ＥＬディスプレイ等、他の表示装置から構成されてもよい。
【００３７】
タッチ検出部１４は、表示面３への指の接触を検出するタッチパネル等から構成されている。タッチパネルは、透明なシート状に形成され、表示面３上を覆いキャビネット２の正面に配される。タッチパネルは、静電容量式、超音波式、感圧式、抵抗膜式、光検知式等、各種方式のタッチパネルであってよい。
【００３８】
タッチ検出部１４は、前記表示面３へのユーザによるタッチを検出する。即ち、タッチ検出部１４は、指が触れた表示面３上の位置を入力位置として検出し、検出した入力位置に応じた位置信号を制御部１１へ出力する。
【００３９】
ユーザは、表示面３に指を触れることにより各種のタッチ操作を行うことができる。タッチ操作の種類として、タップ操作、フリック操作、スライド操作等が挙げられる。タップ操作は、表示面３に指を接触させた後、短時間のうちに離す操作である。フリック操作は、表示面３を指で任意の方向に弾く操作である。スライド操作は、表示面３に指を接触させたまま任意の方向へ移動させる操作である。
【００４０】
たとえば、入力位置が検出された後、予め定めた第１時間以内に入力位置が検出されな
くなった場合、制御部１１によりタップ操作がなされたと判定される。入力位置が検出された後、予め定めた第２時間以内に予め定めた第１距離以上入力位置が移動し、入力位置が検出されなくなった場合、制御部１１によりフリック操作がなされたと判定される。入力位置が検出された後、予め定めた第２距離以上入力位置が移動すると、制御部１１によりスライド操作がなされたと判定される。
【００４１】
音声入力部１５は、マイクロフォン４等から構成される。音声入力部１５は、マイクロフォン４からの電気信号を音声処理部１７へ出力する。
【００４２】
音声出力部１６は、通話スピーカ５および外部スピーカ８を含む。音声出力部１６には、音声処理部１７からの電気信号が入力され、通話スピーカ５または外部スピーカ８から音（音声、報知音等）が出力される。
【００４３】
さらに、音声出力部１６は、有線出力部１６ａおよび無線出力部１６ｂを含む。有線出力部１６ａは、出力端子を有し、出力端子に接続されたイヤーフォンやスピーカに音声処理部１７からの電気信号を送信する。これにより、イヤーフォンやスピーカから音が出力される。無線出力部１６ｂは、近距離無線用の通信回路を有し、音声処理部１７からの電気信号を近距離無線通信のための無線信号に変換し、変換した無線信号をワイヤレスのイヤーフォンやスピーカに送信する。これにより、ワイヤレスのイヤーフォンやスピーカから音が出力される。
【００４４】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００４５】
キー入力部１８は、キー操作部６の各操作キーが押下されたときに、押下された操作キーに応じた信号を制御部１１へ出力する。
【００４６】
通信部１９は、通話や通信を行うため、信号を変換するための回路、電波を送受信するアンテナ等を備える。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４７】
振動発生部２０は、バイブレータおよびバイブレータの駆動回路を含み、バイブレータの振動をキャビネット２に伝達してキャビネット２を振動させる。
【００４８】
制御部１１は、報知制御部２１および電源制御部２２を含む。
【００４９】
報知制御部２１は、他の機器から通信部１９へ電話や電子メールの着信があったときに、音声出力部１６および振動発生部２０により行われる着信報知を制御する。報知制御部２１は、後述する着信報知処理、緊急着信モード設定処理および緊急着信モード解除処理を実行する。
【００５０】
電源制御部２２は、電源キー７に対する操作に基づいて携帯電話機１の電源をオン・オフする制御を行う。電源制御部２２は、後述する電源制御処理を実行する。
【００５１】
さて、電話や電子メールの着信があると、着信報知がなされ、着信中であることがユーザに知らされる。
【００５２】
図３は、電話の着信報知が行われる場合の着信報知処理の処理手順を示すフローチャートである。
【００５３】
報知制御部２１は、着信があったか否かを監視する（Ｓ１０１）。報知制御部２１は、着信があった場合（Ｓ１０１：ＹＥＳ）、ドライブモードが設定されているか否か、およびマナーモード（公共モード）が設定されているか否かを判定する（Ｓ１０２、Ｓ１０３）。
【００５４】
ドライブモードおよびマナーモードは、ユーザによる所定の操作がなされると、報知制御部２１により設定、または解除される。たとえば、ドライブモードが解除されている状態において、キー操作部６の一つの操作キーを長押しする操作がなされると、ドライブモードが設定される。ドライブモードが設定されている状態において、ドライブモードを設定する操作キーと同じ操作キーを長押しする操作がなされると、ドライブモードが解除される。また、マナーモードが解除されている状態において、ドライブモードに割り当てられた操作キーとは異なる操作キーを長押しする操作がなされると、マナーモードが設定される。マナーモードが設定されている状態において、マナーモードを設定する操作キーと同じ操作キーを長押しする操作がなされると、マナーモードが解除される。
【００５５】
ドライブモードは、運転中であるなど、現在、電話に出ることができないときに設定される。マナーモードは、着信音を鳴動させると周囲の迷惑になるときに設定される。
【００５６】
ドライブモードに設定されている場合（Ｓ１０２：ＹＥＳ）、報知制御部２１は、着信音による着信報知を行わずに、着信履歴として、着信日時、電話番号等を記憶部１２に記憶する（Ｓ１０４）。さらに、報知制御部２１は、現在、電話に出られない旨のメッセージを送信側の機器に返信する（Ｓ１０５）。
【００５７】
一方、マナーモードに設定されている場合（Ｓ１０３：ＹＥＳ）、報知制御部２１は、着信音による着信報知を行わずに、振動発生部２０を動作させて、振動による着信報知を行う（Ｓ１０６）。
【００５８】
ドライブモードおよびマナーモードの何れにも設定されていない場合（Ｓ１０２：ＮＯ、Ｓ１０３：ＮＯ）、報知制御部２１は、着信音による着信報知を行う（Ｓ１０７）。
【００５９】
着信音の種類および音量は、所定の設定画面を用いて予めユーザにより設定される。報知制御部２１は、設定された種類の着信音を設定された音量で出力する。
【００６０】
報知制御部２１は、有線出力部１６ａおよび無線出力部１６ｂへのイヤーフォン等の接続状況に応じて設定された出力先から着信音を出力させる。たとえば、有線出力部１６ａおよび無線出力部１６ｂへのイヤーフォン等の接続がない場合には、外部スピーカ８から着信音が出力される。このとき、通話スピーカ５からは着信音が出力されず、有線出力部１６ａおよび無線出力部１６ｂからも着信音、即ち、着信音に対応する電気信号が出力されない。一方、有線出力部１６ａおよび無線出力部１６ｂへのイヤーフォン等の接続がある場合には、接続されたイヤーフォン等から着信音が出力される。このとき、通話スピーカ５および外部スピーカ８からは着信音が出力されない。
【００６１】
報知制御部２１は、通話開始の操作がなされるか（Ｓ１０８：ＹＥＳ）、着信が中止されると（Ｓ１０９：ＹＥＳ）、着信報知を停止し（Ｓ１１０）、処理を終了する。
【００６２】
事故等、緊急事態に遭遇した際に、ユーザが、携帯電話機１から１１０番、１１９番等
の緊急連絡先へ通報し、その後に、緊急連絡先、あるいは、緊急連絡先に関連する相手先から電話がかかってくる場合がある。このとき、携帯電話機１にドライブモードまたはマナーモードが設定されたままになっていると、着信音が鳴らないため、ユーザが、緊急連絡先等からの着信に気付かない虞がある。また、ドライブモードまたはマナーモードが設定されておらず、着信音が鳴らされた場合であっても、周囲が騒がしい場合には、着信音がユーザに十分届かず、ユーザが緊急連絡先等からの着信に気付かない虞がある。
【００６３】
そこで、本実施の形態の携帯電話機１は、緊急連絡先からの着信など、重大な着信にユーザが気付かない事態となることを防止するための機能を備える。以下、かかる機能について説明する。
【００６４】
図４は、緊急着信モード設定処理について説明するための図である。図４（ａ）は、緊急着信モード設定処理の処理手順を示すフローチャートである。図４（ｂ）は、緊急着信モードの設定に基づく画面の表示例を示す図である。
【００６５】
報知制御部２１は、通信部１９から他の機器への発信があると、発信先が重要連絡先テーブル１２ａに登録された緊急連絡先であるか否か判定する（Ｓ２０１）。
【００６６】
発信先が重要連絡先テーブル１２ａに登録された緊急連絡先への発信である場合（Ｓ２０１：ＹＥＳ）、報知制御部２１は、緊急着信モードに設定する（Ｓ２０２）。たとえば、緊急着信モードに割り当てられたフラグを、設定状態であることを示す「１」に設定する。
【００６７】
次に、報知制御部２１は、ドライブモードが設定されているか否か、およびマナーモードが設定されているか否かを判定する（Ｓ２０３、Ｓ２０４）。報知制御部２１は、ドライブモードに設定されている場合には（Ｓ２０３：ＹＥＳ）、ドライブモードを解除し（Ｓ２０５）、マナーモードに設定されている場合には（Ｓ２０４：ＹＥＳ）、マナーモードを解除する（Ｓ２０６）。
【００６８】
次に、報知制御部２１は、着信音量が最大音量に設定されているか否かを判定する（Ｓ２０７）。報知制御部２１は、着信音量が最大音量でなければ（Ｓ２０７：ＮＯ）、着信音量を最大音量に変更する（Ｓ２０８）。
【００６９】
次に、報知制御部２１は、緊急着信モードが設定されたことに示す報知画面を表示面３に表示する（Ｓ２０９）。たとえば、マナーモードが解除されるとともに、着信音量が最大音量に変更された場合、図４（ｂ）に示すように、緊急着信モードの設定、マナーモードの解除および着信音量の変更を報知するメッセージが報知画面上に現れる。報知制御部２１は、一定時間が経過すると報知画面を閉じて報知画面が表示される前の画面を表示面３に表示する。また、図４（ｂ）に示すように、報知画面他、各画面に設けられるピクト領域１０１には、緊急着信モードに設定されていることを示す通知アイコン１０２が表示される。
【００７０】
こうして、緊急着信モード設定処理が実行されることにより、ユーザによって以前に設定されていたドライブモードまたはマナーモードが自動的に解除される。また、着信音量が最大音量にされる。よって、緊急連絡先への発信が行われた後に着信があった場合には、緊急連絡先への発信前にドライブモードまたはマナーモードに設定されていたとしても、図３に示す着信報知処理が実行されることによって、外部スピーカ８等、所定の出力先から着信音が最大音量で出力される。
【００７１】
したがって、緊急連絡先や緊急連絡先に関連する相手先からの着信にユーザが気付かな
いという事態を生じにくくすることができる。
【００７２】
なお、緊急着信モードに設定されている間は、ユーザによってドライブモードまたはマナーモードに設定する操作がなされても、これら操作は無効とされ、報知制御部２１により、ドライブモードまたはマナーモードに設定されない。
【００７３】
また、携帯電話機１は、ＬＥＤなどの発光素子により構成される発光部を備える。報知制御部２１は、緊急着信モードに設定されている間、重要連絡先テーブル１２ａに登録された緊急連絡先から着信があると、重要連絡先テーブル１２ａに登録されていない相手先とは異なる発光態様により発光部を発光させる。異なる発光態様としては、たとえば、発光色の変更や発光パターンの変更などが挙げられる。このような構成により、ユーザは、緊急連絡先等の重要な相手先からの電話と他の相手先からの電話とを区別できる。
【００７４】
図５は、緊急着信モード解除処理について説明するための図である。図５（ａ）は、緊急着信モード解除処理の処理手順を示すフローチャートである。図５（ｂ）は、緊急着信モードの解除に基づく画面の表示例を示す図である。
【００７５】
緊急着信モード設定処理が終了すると、緊急着信モード解除処理が開始される。報知制御部２１は、緊急着信モードを解除するための操作、たとえば、キー操作部６の解除操作に割り当てられた操作キーを長押しする操作がなされたか否かを判定する（Ｓ３０１）。さらに、報知制御部２１は、緊急着信モードに設定されてから、予め設定された解除時間が経過したか否かを判定する（Ｓ３０２）。解除時間は、その時間が経過した後には、緊急連絡先への発信の原因となった緊急事態に関して、緊急連絡先等から電話がかかることがないような時間（たとえば、数時間〜十数時間程度）に設定され得る。
【００７６】
解除操作がなされた場合（Ｓ３０１：ＹＥＳ）、または、解除時間が経過した場合（Ｓ３０２：ＹＥＳ）、報知制御部２１は、緊急着信モードを解除する（Ｓ３０３）。たとえば、緊急着信モードに割り当てられたフラグを、解除状態であることを示す「０」に設定する。
【００７７】
次に、報知制御部２１は、ドライブモード、マナーモードおよび着信音量を、緊急着信モードが設定される前、即ち、重要連絡先テーブル１２ａに登録された緊急連絡先への発信がなされる前の設定状態へ戻す（Ｓ３０４）。緊急着信モードが設定される前にドライブモードまたはマナーモードが設定されていれば、ドライブモードまたはマナーモードが再び設定される。
【００７８】
次に、報知制御部２１は、緊急着信モードが解除されたことに示す報知画面を表示面３に表示する（Ｓ３０５）。たとえば、マナーモードが再び設定されるとともに、着信音量が元の設定音量に変更された場合、図５（ｂ）に示すように、緊急着信モードの解除、マナーモードの設定および着信音量の変更を報知するメッセージが報知画面上に現れる。報知制御部２１は、一定時間が経過すると報知画面を閉じて報知画面が表示される前の画面を表示面３に表示する。また、図５（ｂ）に示すように、報知画面他、各画面のピクト領域１０１から通知アイコン１０２が消去される。
【００７９】
こうして、緊急着信モードが解除されると、解除後に着信があった場合、緊急連絡先への発信前にドライブモードまたはマナーモードに設定されていれば、図３に示す着信報知処理が実行されることによって、着信音が出力されることなく、ドライブモード設定に従った処理（Ｓ１０４、Ｓ１０５）、またはマナーモード設定に従った処理（Ｓ１０６）が実行される。
【００８０】
このように、緊急着信モード設定処理が実行された後に、解除操作がなされるか、または、解除時間が経過すると、着信報知の設定状態、即ち、ドライブモード、マナーモードおよび着信音量の設定状態が、重要連絡先テーブル１２ａに登録された緊急連絡先への発信がなされる前の状態に戻るので、ユーザは、逐一、着信報知の設定状態を元に戻す操作を行う必要がない。よって、携帯電話機１に対するユーザの利便性が向上する。
【００８１】
図６は、携帯電話機１の電源が投入されている状態において実行される電源制御処理の処理手順を示すフローチャートである。図６（ａ）は、電源制御処理の第１の例を示し、図６（ｂ）は、電源制御処理の第２の例を示す。
【００８２】
まず、第１の例に係る電源制御処理について、図６（ａ）のフローチャートに従い説明する。
【００８３】
電源制御部２２は、電源をオフする操作、即ち、電源キー７が押下されたか否かを監視する（Ｓ４０１）。電源をオフする操作がなされると（Ｓ４０１：ＹＥＳ）、電源制御部２２は、緊急着信モードに設定されているか否かを判定する（Ｓ４０２）。
【００８４】
電源制御部２２は、緊急着信モードに設定されていないと判定すると（Ｓ４０２：ＮＯ）、携帯電話機１の電源をオフする（Ｓ４０３）。一方、電源制御部２２は、緊急着信モードに設定されていると判定すると（Ｓ４０２：ＹＥＳ）、携帯電話機１の電源をオフせず、表示部１３を消灯する（Ｓ４０４）。
【００８５】
第１の例によれば、緊急連絡先への発信の後に、電源をオフする操作がなされても、電源がオフしないので、緊急連絡先や緊急連絡先に関連する相手先から電話が受けられなくなることを防止できる。さらに、表示部１３が消灯するので、電力消費を抑制できる。
【００８６】
次に、第２の例に係る電源制御処理について、図６（ｂ）のフローチャートに従い説明する。
【００８７】
電源制御部２２は、電源をオフする操作がなされると（Ｓ４１１：ＹＥＳ）、電源携帯電話機１の電源をオフする（Ｓ４１２）。このとき、制御部１１への電力供給は継続される。
【００８８】
次に、電源制御部２２は、緊急着信モードに設定されているか否かを判定する（Ｓ４１３）。電源制御部２２は、緊急着信モードに設定されていないと判定すると（Ｓ４１３：ＮＯ）、処理を終了する。携帯電話機１の電源はオフされたままとなる。
【００８９】
一方、電源制御部２２は、緊急着信モードに設定されていると判定すると（Ｓ４１３：ＹＥＳ）、時間のカウントを開始し（Ｓ４１４）、カウントした時間が所定時間に到達すると（Ｓ４１５：ＹＥＳ）、携帯電話機１の電源をオンする（Ｓ４１６）。
【００９０】
第２の例によれば、緊急連絡先への発信の後に、電源をオフする操作がなされた場合、携帯電話機１の電源が一旦オフするが、その後復帰する。よって、緊急連絡先や緊急連絡先に関連する相手先から電話が受けられなくなること防止できる。
【００９１】
＜変更例１＞
図７は、変更例１に係る、緊急着信モード設定処理の処理手順を示すフローチャートである。図７には、上記実施の形態の緊急着信モード設定処理（図４（ａ）参照）に対して追加された処理（Ｓ２１０、Ｓ２１１）を含む一部の処理のみが示されている。
【００９２】
本変更例では、重要連絡先テーブル１２ａに登録された緊急連絡先への発信に基づいて、着信音量が変更されるだけではなく、着信音の種類が変更される。
【００９３】
報知制御部２１は、着信音量を変更すると（Ｓ２０８）、次に、現在設定されている着信音の種類が、規定の種類よりもユーザに対して認識効果の低い種類であるか否かを判定する（Ｓ２１０）。たとえば、報知制御部２１は、現在設定されている着信音から全ての無音期間を検出し、トータルした無音期間が所定期間より長い場合に、規定の種類よりも認識効果の低い種類であると判定する。
【００９４】
報知制御部２１は、規定の種類よりも認識効果の低い種類であると判定すると（Ｓ２１０：ＹＥＳ）、着信音の種類を規定の種類に変更する（Ｓ２１１）。
【００９５】
本変更例によれば、緊急着信モードが設定されることにより、着信音が、ユーザに対して認識効果の高い種類の着信音に変更される。よって、緊急連絡先や緊急連絡先に関連する相手先からの着信にユーザが気付かないという事態を、より一層生じにくくすることができる。
【００９６】
＜変更例２＞
図８は、変更例２に係る、緊急着信モード設定処理の処理手順を示すフローチャートである。図８には、上記実施の形態の緊急着信モード設定処理（図４（ａ）参照）に対して追加された処理（Ｓ２１２）を含む一部の処理のみが示されている。
【００９７】
本変更例において、報知制御部２１は、着信音量を変更すると（Ｓ２０８）、次に、着信音の出力先を、通話スピーカ５、外部スピーカ８、有線出力部１６ａおよび無線出力部１６ｂの全ての出力先に設定する。これにより、図３に示す着信報知処理が実行されると、通話スピーカ５、外部スピーカ８並びに有線出力部１６ａおよび無線出力部１６ｂに接続されたイヤーフォン等から着信音が出力される。
【００９８】
なお、上記のように、着信音の出力先が全ての出力先に設定される構成とされることが、最も望ましい。しかしながら、着信音の出力先は、上記のように全ての出力先に設定されずとも、少なくとも緊急着信モードに設定される前に設定されていた出力先より多くの出力先に設定される構成とされれば良い。
【００９９】
本変更例の構成によれば、緊急着信モードに設定される前より多くの出力先から着信音が報知される。よって、緊急連絡先や緊急連絡先に関連する相手先からの着信にユーザが気付かないという事態を、より一層生じにくくすることができる。
【０１００】
なお、上記のように、着信音の出力先が全ての出力先に設定される構成とされることが、最も望ましい。しかしながら、着信音の出力先は、必ずしも全ての出力先に設定されずとも良く、少なくとも緊急着信モードに設定される前に設定されていた出力先より多くの出力先に設定される構成とされれば、上記の効果を奏することが可能となる。
【０１０１】
さらに、本変更例の構成は、変更例１の構成に適用することもできる。
【０１０２】
＜変更例３＞
図９は、変更例３に係る、通話時警告処理の処理手順を示すフローチャートである。緊急着信モードが設定された場合に、以下に説明する通話時警告処理が報知制御部２１によって実行される。
【０１０３】
報知制御部２１は、通信部１９からの発信または通信部１９への受信に続いて通話が開
始されたか否かを監視する（Ｓ５０１）。通話が開始されると、報知制御部２１は、時間のカウントを開始し（Ｓ５０２）、カウントした時間が所定時間（たとえば、数分程度の時間）に到達したか否かを判定する（Ｓ５０３）。カウントした時間が所定時間に到達すると（Ｓ５０３：ＹＥＳ）、報知制御部２１は、通話スピーカ５、あるいは、有線出力部１６ａまたは無線出力部１６ｂに繋がっているイヤーフォン等から警告音を出力する（Ｓ５０４）。
【０１０４】
本変更例の構成によれば、緊急連絡先への連絡された後は、一件の電話が長くなると警告音が鳴らされるので、ユーザは短い電話を心がけることができる。よって、現在の電話が長引くことにより、他の重要な電話が受けられなくなることを防止できる。
【０１０５】
＜変更例４＞
図１０は、変更例４に係る、緊急着信モード設定処理について説明するための図である。図１０（ａ）は第１の例を示し、図１０（ｂ）は第２の例を示す。
【０１０６】
第１の例では、報知制御部２１は、図４（ａ）のステップＳ２０９の処理により、図１０（ａ）に示すような、着信音をオフするためのオフボタン１０３が配された報知画面を表示面３に表示する。
【０１０７】
ユーザによりオフボタン１０３に対するタップ操作がなされると、報知制御部２１は、着信音をオフに設定する。これにより、着信時に着信音が出力されなくなる。
【０１０８】
このような構成とすれば、ユーザは、着信音が鳴動されては困る状況にある場合に、着信音を鳴動させないようにすることができる。
【０１０９】
オフボタン１０３に対するタップ操作がなされた場合には、着信時に振動発生部２０が動作し、振動による着報知が行われる構成とされても良い。
【０１１０】
第２の例では、報知制御部２１は、図４（ａ）のステップＳ２０９の処理により、図１０（ｂ）に示すような、着信音量の変更を解除するための解除ボタン１０４が配された報知画面を表示面３に表示する。
【０１１１】
ユーザにより解除ボタン１０４に対するタップ操作がなされると、報知制御部２１は、着信音量の変更を解除し、着信音量を、緊急着信モードに設定される前に設定されていた音量に戻す。これにより、着信時には、最大音量ではなく、緊急着信モードに設定される前に設定されていた音量で着信音が出力される。
【０１１２】
このような構成とすれば、ユーザは、大きな着信音が鳴動されては困る状況にある場合に、着信音を大きく鳴動させないようにすることができる。
【０１１３】
第１の例および第２の例の他、たとえば、予め設定された小さな着信音量に変更するための変更ボタンが、報知画面に配される構成とされても良い。
【０１１４】
＜その他＞
以上、本発明の実施の形態および変更例について説明したが、本発明は、上記実施の形態等によって何ら制限されるものではなく、また、本発明の実施の形態も、上記以外に種々の変更が可能である。
【０１１５】
たとえば、上記実施の形態では、緊急着信モード設定処理において、ドライブモードを解除する処理（Ｓ２０３、Ｓ２０５）、マナーモードを解除する処理（Ｓ２０４、Ｓ２０
６）および着信音量を変更する処理（Ｓ２０７、Ｓ２０８）が実行される。また、変更例１では、これらの処理に加えて、着信音の種類を変更する処理（Ｓ２１０、Ｓ２１１）が実行される。しかしながら、必ずしも、このような構成とされる必要はなく、ドライブモードを解除する処理、マナーモードを解除する処理、着信音量を変更する処理および着信音の種類を変更する処理のうち少なくとも一つの処理を含む緊急着信モード設定処理が実行される構成とされれば良い。
【０１１６】
さらに、上記実施の形態では、緊急着信モード設定処理において、着信音量が最大音量に変更される。しかしながら、これに限らず、たとえば、現在設定されている音量よりも所定レベルだけ大きな音量に変更される構成とされても良い。
【０１１７】
さらに、上記実施の形態では、重要連絡先テーブル１２ａに緊急連絡先の電話番号や電子メールアドレスが登録されている。しかしながら、これに限らず、着信報知の認識効果を高める処理、即ち、ドライブモードおよびマナーモードを解除する処理、並びに着信音量を大きくする処理を行うためのトリガーとなる連絡先として適当であるとユーザが考える、あらゆる連絡先の電話番号やメールアドレスが重要連絡先テーブル１２ａに登録されても良い。
【０１１８】
さらに、上記実施の形態では、マナーモードに設定された場合、着信音に替えて振動による報知がなされる。しかしながら、これに限らず、たとえば、マナーモードに設定された場合、マナーモード用の着信音量として設定された小さな着信音量で着信音が出力されるような構成とされても良い。この場合、緊急着信モードが設定されたときに、マナーモードが解除されるのではなく、マナーモード用の着信音量より大きな着信音量で着信音が報知されるような構成とされても良い。
【０１１９】
さらに、上記実施の形態では、緊急着信モード解除処理において、解除操作の有無と制限時間の経過の有無との双方が判定されているが、解除操作の有無および制限時間の経過の有無うち、少なくとも一つが判定されれば良い。
【０１２０】
さらに、上記実施の形態では、図６（ａ）に示す電源制御処理において、緊急着信モードに設定されていると、表示部１３が消灯される。しかしながら、表示部１３は必ずしも消灯されなくて良い。
【０１２１】
さらに、上記変更例３の構成において、通話中に重要連絡先テーブル１２ａに登録された緊急連絡先から着信があった場合、報知制御部２１により、緊急連絡先からの割込着信が、重要連絡先テーブル１２ａに登録されていない相手先からの割込着信とは異なる態様にて報知されてもよい。異なる報知態様として、報知音量を大きくする、報知音の種類を異ならせるなどの態様を挙げることができる。このようにすれば、ユーザは、緊急連絡先等の重要な相手先からの割込着信と他の相手先からの割込着信とを区別できる。
【０１２２】
本発明は、携帯電話機に限られず、ＰＤＡ（Personal DigitalAssistant）、タブレットＰＣ（Tablet PC）、電子書籍端末等の各種の携帯端末装置に適用可能である。
【０１２３】
この他、本発明の実施形態は、特許請求の範囲に示された技術的思想の範囲内において、適宜、種々の変更が可能である。
【符号の説明】
【０１２４】
５  通話スピーカ（出力先）
６  外部スピーカ（出力先）
１１  制御部
１６  音声出力部（報知部）
１６ａ  有線出力部（出力先）
１６ｂ  無線出力部（出力先）
１９  通信部
２１  報知制御部
２２  電源制御部
【図１】
2014027362.tif 000003
【図２】
2014027362.tif 000004
【図３】
2014027362.tif 000005
【図４】
2014027362.tif 000006
【図５】
2014027362.tif 000007
【図６】
2014027362.tif 000008
【図７】
2014027362.tif 000009
【図８】
2014027362.tif 000010
【図９】
2014027362.tif 000011
【図１０】
2014027362.tif 000012